(57)【要約】【課題】  芳香具において、芳香体の交換を容易とするとともに、芳香体を保持部に対してより確実に固定する。【解決手段】  本発明に係る芳香具１は、芳香部材１００と、芳香部材１００が着脱される収容部材２００と、を備える。芳香部材１００は、棒状に形成されて香料を含浸させることが可能な芳香体１１１と、芳香体１１１の端部に固定された連結部材１１２と、連結部材１１２に対して着脱自在に取り付けられる保持部材１２０と、を有している。また、収容部材２００は、芳香体１１１が挿入される開口部２０１と、開口部２０１から挿入された芳香体１１１を収容する収容部２０２と、収容部２０２と外部とを連通する孔部２０３と、を有している。【選択図】  図１
2014057671.tif 000002
【特許請求の範囲】
【請求項１】
芳香部材と、該芳香部材が着脱される収容部材と、を備える芳香具であって、
前記芳香部材は、棒状に形成されて香料を含浸させることが可能な芳香体と、該芳香体の端部に固定された連結部材と、該連結部材に対して着脱自在に取り付けられる保持部材と、を有し、
前記収容部材は、前記芳香体が挿入される開口と、該開口から挿入された前記芳香体を収容する収容室と、前記収容室と外部とを連通する連通孔と、を有することを特徴とする芳香具。
【請求項２】
前記連結部材は、第一雄ネジ部を有し、
前記開口には、第二雄ネジ部が設けられ、
前記保持部材は、前記第一雄ネジ部に螺合する第一雌ネジ部と、前記第二雄ネジ部に螺合する第二雌ネジ部と、を有していることを特徴とする請求項１に記載の芳香具。
【請求項３】
前記第一雄ネジ部の外径及び前記第二雄ネジ部外径は、互いに略同一となっており、
前記第一雌ネジ部の内径及び前記第二雌ネジ部の内径は、互いに略同一となっており、
前記第一雌ネジ部及び前記第二雌ネジ部は、互いに一連に形成されていることを特徴とする請求項２に記載の芳香具。
【請求項４】
前記連結部材は、筒状に形成されて前記開口に挿入される筒状部を有し、
前記芳香体の端部は、前記筒状部の内側に挿入されていることを特徴とする請求項１乃至３のうちいずれか一項に記載の芳香具。
【請求項５】
前記保持部材には、吊下げ具を取り付けることが可能な取付け部が設けられていることを特徴とする請求項１乃至４のうちいずれか一項に記載の芳香具。
【発明の詳細な説明】
【技術分野】
【０００１】
本発明は、香料による芳香を楽しむことが可能な芳香具に関し、特に、香料の種類を容易に変更することが可能な芳香具に関する。
【背景技術】
【０００２】
従来、香料による芳香を楽しむことが可能な芳香具として、芳香部材を、空洞状に形成したアクセサリー本体内に着脱自在に保持する芳香アクセサリー具が知られている（特許文献１参照）。
この芳香アクセサリー具では、芳香部材が、香水等の芳香成分が含浸される芳香体と、芳香体を保持する保持部材と、保持部材をアクセサリー本体に対して着脱させる着脱手段と、を備えている。
これによって、従来の芳香アクセサリー具では、芳香体に含浸された芳香成分による芳香を楽しむことが可能となっている。
【先行技術文献】
【特許文献】
【０００３】
【特許文献１】実用新案登録第３０７３２７０号公報
【発明の概要】
【発明が解決しようとする課題】
【０００４】
しかしながら、従来の芳香アクセサリー具では、芳香体の交換が困難となり、また、保持部材に対する芳香体の固定が不十分となる恐れがある。
すなわち、従来の芳香アクセサリー具では、芳香体が、直接、保持部材に対して固定されている。具体的には、芳香体は、保持部材に設けられた嵌合用の穴部に挿入されることによって、保持部に対して固定されている。
これにより、従来の芳香アクセサリー具では、芳香体を交換する際には、芳香体を保持部材の嵌合用の穴部から引き抜き、他の芳香体を保持部材の嵌合用の孔部に押し入れる必要があり、保持部材に対する芳香体の着脱が困難となる恐れがある。また、芳香体を交換することによって、保持部材に対する芳香体の固定が不十分となり、芳香体が保持部材から離脱する恐れがある。さらに、芳香体を保持部材の嵌合用の穴部から引き抜き又は押し入れる際に、芳香体を破損する恐れがある。
したがって、従来のアクセサリー具では、芳香体の交換が困難となり、また、保持部に対する芳香体の固定が不十分となる恐れがある。
本発明の課題は、芳香具において、芳香体の交換を容易とするとともに、芳香体を保持部材に対してより確実に固定することである。
【課題を解決するための手段】
【０００５】
上記課題を解決するために、第一の発明に係る芳香具は、芳香部材と、該芳香部材が着脱される収容部材と、を備える芳香具であって、前記芳香部材は、棒状に形成されて香料を含浸させることが可能な芳香体と、該芳香体の端部に固定された連結部材と、該連結部材に対して着脱自在に取り付けられる保持部材と、を有し、前記収容部材は、前記芳香体が挿入される開口と、該開口から挿入された前記芳香体を収容する収容室と、前記収容室と外部とを連通する連通孔と、を有することを特徴とする。
【０００６】
第一の発明に係る芳香具では、棒状に形成された芳香体の端部に固定された連結部材を有しており、保持部材が連結部材に対して着脱自在となっている。すなわち、芳香体が、連結部材を介して、保持部材に取り付けられている。
これにより、保持部材に対する芳香体の着脱を容易に行うことができるとともに、芳香体を保持部材に対してより確実に固定することができる。
したがって、予め、芳香体と連結部材とを一体に固定したものを複数用意しておくことで、芳香体の交換を容易に行うことが可能となる。
以上のように、第一の発明に係る芳香具によれば、芳香体の交換を容易に行うことが可能となるとともに、芳香体を保持部に対してより確実に固定することが可能となる。
【０００７】
第二の発明に係る芳香具は、第一の発明に係る芳香具において、前記連結部材は、第一雄ネジ部を有し、前記開口には、第二雄ネジ部が設けられ、前記保持部材は、前記第一雄ネジ部に螺合する第一雌ネジ部と、前記第二雄ネジ部に螺合する第二雌ネジ部と、を有していることを特徴とする。
第二の発明に係る芳香具では、ネジ止めによって、保持部材が連結部材に対して着脱自在となっている。したがって、保持部材に対する芳香体の着脱操作を容易に行うことが可能となる。
また、第二の発明に係る芳香具では、保持部材に設けられた雌ネジ部（第一雌ネジ部及び第二雌ネジ部）によって、保持部材に対する芳香体の着脱及び収容部材に対する芳香部材の着脱の両方を行うことができる。したがって、芳香具の構成を簡単化することができ、製造コストを低減することが可能となる。
【０００８】
第三の発明に係る芳香具は、第二の発明に係る芳香具において、前記第一雄ネジ部の外径及び前記第二雄ネジ部外径は、互いに略同一となっており、前記第一雌ネジ部の内径及び前記第二雌ネジ部の内径は、互いに略同一となっており、前記第一雌ネジ部及び前記第二雌ネジ部は、互いに一連に形成されていることを特徴とする。
第三の発明に係る芳香具では、保持部材に設けられた一連の雌ネジ部（第一雌ネジ部及び第二雌ネジ部）によって、保持部材に対する芳香体の着脱及び収容部材に対する芳香部材の着脱の両方を行うことができる。したがって、芳香具の構成をさらに簡単化することが可能となる。
【０００９】
第四の発明に係る芳香具は、第一乃至第三のうちいずれか一の発明に係る芳香具において、前記連結部材は、筒状に形成されて前記開口に挿入される筒状部を有し、前記芳香体の端部は、前記筒状部の内側に挿入されていることを特徴とする。
第四の発明に係る芳香具では、芳香体の端部が、連結部材の筒状部の内側に挿入された状態で、収容部材の開口に挿入されている。したがって、芳香部材が収容部材に対して着脱される際に、芳香体が開口に接触することが防止され、芳香体が破損することを防止することが可能となる。
【００１０】
第五の発明に係る芳香具は、第一乃至第四のうちいずれか一の発明に係る芳香具において、前記保持部材には、吊下げ具を取り付けることが可能な取付け部が設けられていることを特徴とする。
第五の発明に係る芳香具によれば、芳香具の持ち運びを容易に行うことが可能となる。
【発明の効果】
【００１１】
本発明によれば、芳香体の交換を容易に行うことが可能となるとともに、芳香体を保持部に対してより確実に固定することが可能となる。
【図面の簡単な説明】
【００１２】
【図１】本発明の第一実施形態に係る芳香具の斜視図である。
【図２】本発明の第二実施形態に係る芳香具の斜視図である。
【図３】図２に示す芳香具が備える芳香体の側面図である。
【図４】図２に示す芳香具が備える連結部材の側面図である。
【図５】本発明の第三実施形態に係る芳香具の斜視図である。
【発明を実施するための形態】
【００１３】
以下、本発明の実施形態に係る芳香具１，２，３について、図面を参照しながら説明する。
芳香具１，２，３は、香料による芳香を楽しむための器具となっている。そして、芳香具１，２，３は、金属、樹脂等により形成され、装飾具（アクセサリー）として持ち運ぶことが可能となっている。
以下の各実施形態では、香料として、香水（パフューム、パルファム）、オードパルファム（パフュームコロン）、オードトワレ（パフュームドトワレ、パルファンドトワレ）、オーデコロン（コロン、フレッシュコロン）等の芳香性化粧料（液体）を使用する。
【００１４】
（第一実施形態）
まず、本発明の第一実施形態に係る芳香具１について説明する。
（芳香具１の構成）
図１は、本発明の第一実施形態に係る芳香具の斜視図である。
図１に示す芳香具１は、芳香部材１００と、芳香部材１００が着脱される収容部材２００と、を備えている。
芳香部材１００は、芳香カートリッジ１１０と、芳香カートリッジ１１０に対して着脱自在に取り付けられる保持部材１２０と、を有している。ここで、芳香具１では、予め複数の芳香カートリッジ１１０が用意されており、後述するように、保持部材１２０に取り付けられている芳香カートリッジ１１０を交換することによって、芳香具１が放つ芳香（香料）の種類を変更することが可能となっている。
芳香カートリッジ１１０は、香料を含浸させることが可能な芳香体１１１と、芳香体１１１に固定された連結部材１１２と、を有している。
【００１５】
芳香体１１１は、発泡材、繊維材等の多孔質材料により形成されている。本実施形態では、芳香体１１１は、ポリエチレンにより形成されている。芳香体１１１は、円柱状（棒状）に形成されている。
連結部材１１２は、円筒状に形成されている。本実施形態では、連結部材１１２は、金属により形成されている。連結部材１１２の内側には、仕切り板（図示せず）が設けられている。そして、芳香体１１１は、その上端部が連結部材１１２内における仕切り板の下側の空間に挿入された状態で、連結部材１１２に対して固定される。ここで、芳香体１１１は、接着剤等により連結部材１１２に対して固定される。
連結部材１１２の外周面には、保持部材１２０の後述する第一雌ネジ部ｉ１に螺合する第一雄ネジ部ｅ１と、収容部材２００の後述する第二雌ネジ部ｉ２に螺合する第二雄ネジ部ｅ２と、が設けられている。
【００１６】
第一雄ネジ部ｅ１は、連結部材１１２の外周面における上下方向（図１に示す上下方向）の中間部から上端にかけて設けられている。第二雄ネジ部ｅ２は、連結部材１１２の外周面における上下方向の中間部から下端にかけて設けられている。そして、連結部材１１２では、その上端が第一雄ネジ部ｅ１のネジ先となり、その下端が第二雄ネジ部ｅ２のネジ先となっている。また、本実施形態では、第一雄ネジ部ｅ１と第二雄ネジ部ｅ２との間には、所定の隙間部ｇが設けられている。
第一雄ネジ部ｅ１と第二雄ネジ部ｅ２とは、互いに同一のピッチで設けられている。また、第一雄ネジ部ｅ１と第二雄ネジ部ｅ２とは、互いに同一の向きに螺設されている。これにより、第一雄ネジ部ｅ１と第二雄ネジ部ｅ２とでは、螺合又は離脱させる際の進行方向の後方から見た回転方向（向き）が互いに一致している。
【００１７】
本実施形態では、第一雄ネジ部ｅ１及び第二雄ネジ部ｅ２は、ともに、右ネジ（進行方向の後方から見て、右に回転させると前に進むネジ）となっている。これにより、連結部材１１２を下方から見て右に回転させることによって、第一雄ネジ部ｅ１が第一雌ネジ部ｉ１に螺合される。同様に、連結部材１１２を上方から見て右に回転させることによって、第二雄ネジ部ｅ２が第二雌ネジ部ｉ２に螺合される。一方、連結部材１１２を上方から見て右に回転させることによって、第一雄ネジ部ｅ１が第一雌ネジ部ｉ１から離脱される。同様に、連結部材１１２を下方から見て右に回転させることによって、第二雄ネジ部ｅ２が第二雌ネジ部ｉ２から離脱される。
【００１８】
保持部材１２０は、天面を有し底面が開放された円筒状に形成されている。そして、保持部材１２０の内周面には、連結部材１１２の第一雄ネジ部ｅ１に螺合される第一雌ネジ部ｉ１が設けられている。
本実施形態では、保持部材１２０は、天面を有し底面が開放された円筒状に形成された保持部本体１２１と、保持部本体１２１内の下端部に固定されたナット１２２と、を有している。そして、ナット１２２の内周面において、第一雌ネジ部ｉ１が設けられている。保持部本体１２１の天面には、チェーン、革紐、ワイヤー等の吊下げ具（図示せず）を取り付けることが可能な取付け部１２３が設けられている。また、保持部本体１２１の外面には、メッキ、彫刻、ラインストーンの配設等、各種の装飾が施されている。
【００１９】
収容部材２００は、芳香体１１１が挿入される開口部（開口）２０１と、開口部２０１から挿入された芳香体１１１を収容する収容部２０２と、収容部２０２と外部とを連通する孔部２０３と、を有している。そして、開口部２０１の内周面には、連結部材１１２の第二雄ネジ部ｅ２に螺合される第二雌ネジ部ｉ２が設けられている。
本実施形態では、収容部材２００は、開口部２０１を有する収容部本体２１０と、開口部２０１内の上端部に固定されたナット２２０と、を有している。そして、ナット２２０の内周面において、第二雌ネジ部ｉ２が設けられている。収容部本体２１０は、所定形状の箱状に形成されている。そして、収容部本体２１０の内部空間が収容部２０２となっている。収容部本体２１０の外面には、メッキ、彫刻、ラインストーンの配設等、各種の装飾が施されている。
【００２０】
（芳香具１の使用方法）
次に、芳香具１の使用方法について説明する。
芳香部１を使用する際には、まず、芳香カートリッジ１１０を保持部材１２０に取り付ける。これには、連結部材１１２の第一雄ネジ部ｅ１をナット１２２の第一雌ネジ部ｉ１に螺合させて、連結部材１１２と保持部材１２０とを連結する。
次に、保持部材１２０に取り付けられた芳香カートリッジ１１０の芳香体１１１に、芳香性化粧料を含浸させる（塗布する）。具体的には、芳香体１１１に対して香水等の芳香性化粧料を吹き付ける。
さらに、芳香カートリッジ１１０が取り付けられた保持部材１２０を、収容部材２００に取り付ける。これには、芳香体１１１の下端部を、開口部２０１から収容部材２００の収容部２０２内に挿入する。そして、保持部材１２０を収容部材２００に対して回転させることにより、連結部材１１２の第二雄ネジ部ｅ２をナット２２０の第二雌ネジ部ｉ２に螺合させて、連結部材１１２と収容部材２００とを連結する。
以上により、連結部材１１２によって、芳香体１１１が保持部材１２０に対して着脱自在に取り付けられるとともに、芳香部材１００が収容部材２００に対して着脱自在に取り付けられる。
【００２１】
ここで、芳香具１では、第一雄ネジ部ｅ１と第二雄ネジ部ｅ２とが、互いに同一の向きに螺設されている。これにより、連結部材１１２を上下方向の一方側から見た場合には、第一雄ネジ部ｅ１が第一雌ネジ部ｉ１に螺合される連結部材１１２の回転方向（向き）と、第二雄ネジ部ｅ２が第二雌ネジ部ｉ２に螺合される連結部材１１２の回転方向（向き）と、が互いに逆向きとなる。
具体的には、連結部材１１２を上方から見た場合には、連結部材１１２が保持部材１２０に対して左向きに回転されると、第一雄ネジ部ｅ１が第一雌ネジ部ｉ１に螺合され、連結部材１１２が収容部材２００に対して右向きに回転されると、第二雄ネジ部ｅ２が第二雌ネジ部ｉ２に螺合される。
【００２２】
したがって、芳香カートリッジ１１０が取り付けられた保持部材１２０を収容部材２００に取り付ける際には、上方から見て、保持部材１２０を収容部材２００に対して右向きに回転させることによって、連結部材１１２の第二雄ネジ部ｅ２が収容部材２００の第二雌ネジ部ｉ２に螺合される。ここで、保持部材１２０を収容部材２００に対して右向きに回転させると、第二雄ネジ部ｅ２と第二雌ネジ部ｉ２との摩擦力によって、上方から見て、連結部材１１２を保持部材１２０に対して左向きに回転させる力が加わる。そして、この力によって、連結部材１１２の第一雄ネジ部ｅ１と保持部材１２０の第一雌ネジ部ｉ１との螺合が緩むことが防止される。
よって、芳香部材１００を収容部材２００に取り付ける際に、保持部材１２０に取り付けられている連結部材１１２が、保持部材１２０に対して離脱する向きに回転されることが防止され、芳香カートリッジ１１０が保持部材１２０から離脱することを防止することが可能となる。
そして、芳香具１は、取付け部１２３に取り付けられた吊下げ具を介して、鞄等に取り付けられる。芳香具１では、収容部材２００内に収容された芳香体１１１に含浸された芳香性化粧料が揮発して、揮発した芳香性化粧料が収容部材２００に設けられた孔部２０３を介して、収容部材２００の外部に放出される。これにより、芳香体１１１に含浸された芳香性化粧料の芳香を楽しむことができる。
【００２３】
一方、芳香具１において、芳香を放つ芳香性化粧料を変更する際には、芳香カートリッジ１１０の交換を行う。これには、まず、保持部材１２０を収容部材２００に対して回転させることにより、連結部材１１２の第二雄ネジ部ｅ２をナット２２０の第二雌ネジ部ｉ２から離脱させて、連結部材１１２と収容部材２００との連結を解除する。そして、芳香体１１１の下端部を、収容部材２００の収容部２０２内から抜き出す。
次に、芳香カートリッジ１１０を保持部材１２０に対して回転させることにより、連結部材１１２の第一雄ネジ部ｅ１をナット１２２の第一雌ネジ部ｉ１から離脱させて、連結部材１１２と保持部材１２０との連結を解除する。
そして、他の芳香カートリッジ１１０を保持部材１２０に取り付けて、新たに取り付けた芳香カートリッジ１１０の芳香体１１１に他の芳香性化粧料を含浸させた後に、芳香部材１００を収容部材２００に取り付ける。これにより、芳香カートリッジ１１０の交換が完了する。
【００２４】
以上のように、芳香具１では、芳香体１１１に固定された連結部材１１２を有しており、保持部材１２０が連結部材１１２に対して着脱自在となっている。すなわち、芳香体１１１が、連結部材１１２を介して、保持部材１２０に取り付けられている。これにより、保持部材１２０に対する芳香体１１１の着脱が容易となるとともに、芳香体１１１を保持部材１２０に対してより確実に固定することができる。したがって、予め、芳香体１１１と連結部材１１２とを一体に固定した芳香カートリッジ１１０を複数用意しておくことで、芳香体１１１の交換を容易に行うことが可能となる。
よって、芳香具１によれば、芳香体１１１の交換を容易に行うことが可能となるとともに、芳香体１１１を保持部に対してより確実に固定することが可能となる。
【００２５】
また、芳香具１では、連結部材１１２によって、保持部材１２０に対する芳香体１１１の着脱及び収容部材２００に対する芳香部材１００の着脱の両方が行われる。これにより、保持部材１２０において、収容部材２００に対する連結手段を設ける必要がなくなる。したがって、芳香具１の構成を簡単化することができ、製造コストを低減することが可能となる。
特に、芳香具１では、保持部材１２０に対する芳香体１１１の着脱及び収容部材２００に対する芳香部材１００の着脱のそれぞれが、ネジ止めによって行われる。これによって、保持部材１２０に対する芳香体１１１の着脱操作及び収容部材２００に対する芳香部材１００の着脱操作のそれぞれが容易となり、芳香体１１１の交換をさらに容易に行うことが可能となる。
【００２６】
また、芳香具１では、第一雄ネジ部ｅ１と第二雄ネジ部ｅ２とが、互いに同一の向きに螺設されている。これにより、保持部材１２０を回転させることによって芳香部材１００を収容部材２００に取り付ける際に、保持部材１２０に取り付けられている連結部材１１２が保持部材１２０に対して離脱する向きに回転されることが防止される。したがって、芳香部材１００を収容部材２００に取り付ける際に、芳香体１１１が保持部材１２０から離脱することを防止可能となる。
さらに、芳香具１では、保持部材に、吊下げ具を取り付けることが可能な取付け部１２３が設けられている。これにより、芳香具１の持ち運びを容易に行うことが可能となる。
【００２７】
（第二実施形態）
次に、本発明の第二実施形態に係る芳香具２について説明する。
（芳香具２の構成）
図２は、本発明の第二実施形態に係る芳香具の斜視図である。図３は、図２に示す芳香具が備える芳香体の側面図である。図４は、図２に示す芳香具が備える連結部材の側面図である。
図２に示す芳香具２は、芳香部材３００と、芳香部材３００が着脱される収容部材４００と、を備えている。
芳香部材３００は、芳香カートリッジ３１０と、芳香カートリッジ３１０に対して着脱自在に取り付けられる保持部材３２０と、を有している。ここで、芳香具２では、予め複数の芳香カートリッジ３１０が用意されており、後述するように、保持部材３２０に取り付けられている芳香カートリッジ３１０を交換することによって、芳香具２が放つ芳香（香料）の種類を変更することが可能となっている。
芳香カートリッジ３１０は、香料を含浸させることが可能な芳香体３１１と、芳香体３１１に固定された連結部材３１２と、を有している。
【００２８】
図３に示すように、芳香体３１１は、棒状に形成されている。芳香体３１１は、発泡材、繊維材等の多孔質材料により形成されている。本実施形態では、芳香体３１１は、ポリエチレンにより、円柱状に形成されている。
芳香体３１１は、円柱状に形成された本体部３１１ａと、本体部３１１ａの上端部に設けられたフランジ部３１１ｂと、を有している。フランジ部３１１ｂは、略円板状に形成されている。本体部３１１ａの外径は、後述する連結部材３１２の内孔（第一筒状部３１２ａの内孔及び第二筒状部３１２ｂの内孔）の内径より小さく形成されている。また、フランジ部３１１ｂの外径は、連結部材３１２の内孔の内径より大きく形成されている。
フランジ部３１１ｂの上面には、塗料が塗布された着色部ｃ１が設けられている。ここで、予め用意された複数の芳香カートリッジ３１０では、着色部ｃ１に塗布されている色が互いに異なっている。これによって、使用者は、芳香カートリッジ３１０に塗布されている色に基づいて、該芳香カートリッジ３１０に含浸されている芳香性化粧料の種類を判別することができる。
【００２９】
図４に示すように、連結部材３１２は、互いに一体に形成された第一筒状部３１２ａ及び第二筒状部（筒状部）３１２ｂを有している。本実施形態では、連結部材３１２は、金属により形成されている。第一筒状部３１２ａ及び第二筒状部３１２ｂは、それぞれ円筒状に形成され、互いに同軸状に配設されている。第一筒状部３１２ａの内孔（図示せず）及び第二筒状部３１２ｂの内孔（図示せず）は、互いに一連となっており、連結部材３１２の上端から下端までを貫通している。
第一筒状部３１２ａの外周面には、保持部材３２０の後述する第一雌ネジ部ｉ３に螺合する第一雄ネジ部ｅ３が設けられている。第一筒状部３１２ａの外径は、収容部材４００の後述する開口部４０１の内径（内孔の内径）より大きく形成されている。
第二筒状部３１２ｂの外径は、第一筒状部３１２ａの外径より小さく形成され、収容部材４００の開口部４０１の内径（内孔の内径）より小さく形成されている。また、第二筒状部３１２ｂの軸方向（図２に示す上下方向）の長さは、開口部４０１の軸方向の長さより大きく形成されている。第二筒状部３１２ｂの外周面には、塗料が塗布された着色部ｃ２が設けられている。ここで、着色部ｃ２に塗布されている色は、着色部ｃ１に塗布されている色と同一となっている。
【００３０】
芳香体３１１及び連結部材３１２は、芳香体３１１の本体部３１１ａが連結部材３１２の内孔（第一筒状部３１２ａの内孔及び第二筒状部３１２ｂの内孔）に挿通された状態で、互いに固定されている。これにより、図２に示すように、芳香カートリッジ３１０では、芳香体３１１のフランジ部３１１ｂは、連結部材３１２（第一筒状部３１２ａ）の上端面の上方に位置し、芳香体３１１の本体部３１１ａは、連結部材３１２の内孔を通って、その下端部が連結部材３１２（第二筒状部３１２ｂ）の下端から下方に向かって突出するように延びている。なお、芳香体３１１及び連結部材３１２は、接着等により、互いに固定されている。
【００３１】
保持部材３２０は、天面を有し底面が開放された円筒状に形成されている。そして、保持部材３２０の内周面には、連結部材３１２の第一雄ネジ部ｅ３に螺合される第一雌ネジ部ｉ３と、収容部材４００の後述する第二雄ネジ部ｅ４に螺合される第二雌ネジ部ｉ４と、が設けられている。
本実施形態では、第一雌ネジ部ｉ３及び第二雌ネジ部ｉ４は、保持部材３２０の内周面において、互いに一連の雌ネジ（ネジ溝）として形成されている。具体的には、本実施形態では、第一雌ネジ部ｉ３及び第二雌ネジ部ｉ４は、互いに同一のピッチで設けられ、互いに同一の向きに螺設されている。また、第一雌ネジ部ｅ３の内径及び第二雌ネジ部ｅ４の内径は、互いに略同一となっている。そして、保持部材３２０の内周面に形成された一連の雌ネジのうち、上側の部位が第一雌ネジ部ｅ３をなし、下側の部位が第二雌ネジ部ｅ３をなしている。
【００３２】
保持部材３２０の天面には、チェーン、革紐、ワイヤー等の吊下げ具（図示せず）を取り付けることが可能な取付け部３２３が設けられている。また、保持部材３２０の外面には、メッキ、彫刻、ラインストーンの配設等、各種の装飾が施されている。
さらに、本実施形態では、保持部材３２０の天面には、貫通孔３２１が設けられている。これによって、芳香部材３００が収容部材４００に装着された状態においても、貫通孔３２１を介して、芳香体３１１の着色部ｃ１に塗布されている塗料の色を確認することが可能となっている。
【００３３】
図２に示すように、収容部材４００は、天面及び底面を有する円筒状に形成されている。本実施形態では、収容部材４００は、金属により形成されている。収容部材４００は、芳香体３１１が挿入される開口部（開口）４０１と、開口部４０１から挿入された芳香体３１１を収容する収容部４０２と、収容部４０２と外部とを連通する孔部４０３と、を有している。
開口部４０１は、円筒状に形成され、収容部材４００の天面から上方に向かって突出するように設けられている。そして、開口部４０１の内孔（図示せず）は、収容部４０２に連通している。開口部４０１の外周面には、保持部材３２０の第二雌ネジ部ｉ４に螺合する第二雄ネジ部ｅ４が設けられている。本実施形態では、第一雄ネジ部ｅ３（第一筒状部３１２ａ）の外径及び第二雄ネジ部ｅ４（開口部４０１）の外径は、互いに略同一に形成されている。また、第一雄ネジ部ｅ３及び第二雄ネジ部ｅ４は、互いに同一のピッチで設けられている。さらに、第一雄ネジ部ｅ３及び第二雄ネジ部ｅ４とは、互いに同一の向きに螺設されている。本実施形態では、第一雄ネジ部ｅ３及び第二雄ネジ部ｅ４は、ともに、右ネジ（進行方向の後方から見て、右に回転させると前に進むネジ）となっている。
孔部４０３は、収容部材４００の外周面において複数設けられている。なお、孔部４０３は、収容部材４００の底面に設けられていても構わない。収容部材４００の外面には、メッキ、彫刻、ラインストーンの配設等、各種の装飾が施されている。
【００３４】
（芳香具２の使用方法）
次に、芳香具２の使用方法について説明する。
芳香部２を使用する際には、まず、芳香カートリッジ３１０を保持部材３２０に取り付ける。これには、連結部材３１２の第一雄ネジ部ｅ３を保持部材３２０の第一雌ネジ部ｉ３に螺合させて、連結部材３１２と保持部材３２０とを連結する。この際、連結部材３１２の第一雄ネジ部ｅ３は、保持部材３２０の第二雌ネジ部ｉ４の下端から螺合されて、第二雌ネジ部ｉ４を通過すると、第二雌ネジ部ｉ４に連続する第一雌ネジ部ｉ３に螺合される。
芳香カートリッジ３１０が取り付けられた保持部材３２０では、第二雌ネジ部ｉ４の内周面と連結部材３１２の第二円筒部３１２ｂの外周面との間に、収容部材４００の開口部４０１を挿入することが可能な隙間が空いている。
【００３５】
次に、保持部材３２０に取り付けられた芳香カートリッジ３１０の芳香体３１１に、芳香性化粧料を含浸させる（塗布する）。具体的には、芳香体３１１に対して香水等の芳香性化粧料を吹き付ける。
さらに、芳香カートリッジ３１０が取り付けられた保持部材３２０を、収容部材４００に取り付ける。これには、芳香体３１１の本体部３１１ａを、開口部４０１から収容部材４００の収容部４０２内に挿入する。この際、芳香体３１１の下端部から連結部材３１２の第二円筒部３１２ｂの上端部までが、開口部４０１（内孔）内に挿入される。そして、収容部材４００の開口部４０１を、保持部材３２０の第二雌ネジ部ｉ４の内周面と連結部材３１２の第二円筒部３１２ｂの外周面との間の隙間に挿入して、開口部４０１の第二雄ネジ部ｅ４を、保持部材３２０の第二雌ネジ部ｉ４に螺合させて、保持部材３２０と収容部材４００とを連結する。
以上により、保持部材３２０を介して、芳香体３１１が収容部材４００に対して着脱自在に取り付けられる。
【００３６】
そして、芳香具２は、取付け部３２３に取り付けられた吊下げ具を介して、鞄等に取り付けられる。芳香具２では、収容部材４００内に収容された芳香体３１１に含浸された芳香性化粧料が揮発して、揮発した芳香性化粧料が収容部材４００に設けられた孔部４０３を介して、収容部材４００の外部に放出される。これにより、芳香体３１１に含浸された芳香性化粧料の芳香を楽しむことができる。
【００３７】
一方、芳香具２において、芳香を放つ芳香性化粧料を変更する際には、芳香カートリッジ３１０の交換を行う。これには、まず、収容部材４００の第二雄ネジ部ｅ４を、保持部材３２０の第二雌ネジ部ｉ４から螺脱させて、保持部材３２０と収容部材４００との連結を解除する。そして、連結部材３１２の第二円筒部３１２ｂ及び芳香体３１１の本体部３１１ａを、収容部材４００の開口部４０１から抜き出す。
次に、連結部材３１２の第一雄ネジ部ｅ３を、保持部材３２０の第一雌ネジ部ｉ３から離脱させて、連結部材３１２と保持部材３２０との連結を解除する。
そして、他の芳香カートリッジ３１０を保持部材３２０に取り付けて、新たに取り付けた芳香カートリッジ３１０の芳香体３１１に他の芳香性化粧料を含浸させた後に、芳香部材３００を収容部材４００に取り付ける。これにより、芳香カートリッジ３１０の交換が完了する。
【００３８】
以上のように、芳香具２では、棒状に形成された芳香体３１１の端部に固定された連結部材３１２を有しており、保持部材３２０が連結部材３１２に対して着脱自在となっている。すなわち、芳香体３１１が、連結部材３１２を介して、保持部材３２０に取り付けられている。これにより、保持部材３２０に対する芳香体３１１の着脱を容易に行うことができるとともに、芳香体３１１を保持部材３２０に対してより確実に固定することができる。したがって、予め、芳香体３１１と連結部材３１２とを一体に固定したものを複数用意しておくことで、芳香体３１１の交換を容易に行うことが可能となる。
よって、芳香具２によれば、芳香体３１１の交換を容易に行うことが可能となるとともに、芳香体３１１を保持部３２０に対してより確実に固定することが可能となる。
【００３９】
特に、芳香具２では、ネジ止めによって、保持部材３２０が連結部材３１２に対して着脱自在となっている。したがって、保持部材３２０に対する芳香体３１１の着脱操作を容易に行うことが可能となる。
また、芳香具２では、保持部材３２０に設けられた雌ネジ部（第一雌ネジ部ｉ３及び第二雌ネジ部ｉ４）によって、保持部材３２０に対する芳香体３１１の着脱及び収容部材４００に対する芳香部材３１１の着脱の両方を行うことができる。したがって、芳香具２の構成を簡単化することができ、製造コストを低減することが可能となる。
【００４０】
また、芳香具２では、保持部材３２０に設けられた一連の雌ネジ部（第一雌ネジ部ｉ３及び第二雌ネジ部ｉ４）によって、保持部材３２０に対する芳香体３１１の着脱及び収容部材４００に対する芳香部材３１１の着脱の両方を行うことができる。したがって、芳香具２の構成をさらに簡単化することが可能となる。
【００４１】
また、芳香具２では、連結部材３１２が、筒状に形成されて開口部４０１に挿入される第二筒状部３１２ｂを有し、芳香体３１１の端部が、第二筒状部３１２ｂの内側に挿入されている。これによって、芳香体３１１は、その端部が連結部材３１２の第二筒状部３１２ｂの内側に挿入された状態で、収容部材４００の開口部４０１に挿入される。したがって、芳香部材３００が収容部材４００に対して着脱される際に、芳香体３１１が開口部４０１に接触することが防止され、芳香体３１１が破損することを防止することが可能となる。
さらに、芳香具２では、保持部材３２０に吊下げ具を取り付けることが可能な取付け部３２３が設けられていることによって、芳香具２の持ち運びを容易に行うことが可能となる。
【００４２】
（第三実施形態）
次に、本発明の第三実施形態に係る芳香具３について説明する。
（芳香具３の構成）
図５は、本発明の第三実施形態に係る芳香具の斜視図である。
図５に示す芳香具３は、芳香部材５００と、芳香部材５００が着脱される収容部材６００と、を備えている。
芳香部材５００は、芳香カートリッジ５１０と、芳香カートリッジ５１０に対して着脱自在に取り付けられる保持部材５２０と、を有している。ここで、芳香具３では、予め複数の芳香カートリッジ５１０が用意されており、後述するように、保持部材５２０に取り付けられている芳香カートリッジ５１０を交換することによって、芳香具３が放つ芳香（香料）の種類を変更することが可能となっている。
芳香カートリッジ５１０は、香料を含浸させることが可能な芳香体５１１と、芳香体５１１に固定された連結部材５１２と、を有している。
【００４３】
芳香体５１１は、棒状に形成されている。芳香体５１１は、発泡材、繊維材等の多孔質材料により形成されている。本実施形態では、芳香体５１１は、ポリエチレンにより、円柱状に形成されている。
連結部材５１２は、互いに一体に形成された弾性嵌合部５１２ａ及び保持部５１２ｂを有している。本実施形態では、連結部材５１２は、樹脂により形成されている。ここで、弾性嵌合部５１２ａは、樹脂、ゴム等の弾性を有する材料により形成されることが好ましい。
【００４４】
弾性嵌合部５１２ａは、外縁に向かうほど厚みが減少する略円板状に形成されている。弾性嵌合部５１２ａの外径は、収容部材６００の後述する内孔６０１ａの内径より大きく形成され、保持部材５２０の後述する雌ネジ部ｉ５の内径と略同一又は僅かに大きく形成されている。また、弾性嵌合部５１２ａの上面には、塗料が塗布された着色部ｃ３が設けられている。ここで、予め用意された複数の芳香カートリッジ５１０では、着色部ｃ３に塗布されている色が互いに異なっている。これによって、使用者は、芳香カートリッジ５１０に塗布されている色に基づいて、該芳香カートリッジ５１０に含浸されている芳香性化粧料の種類を判別することができる。
保持部５１２ｂは、円筒状に形成されている。保持部５１２ｂの外径は、弾性嵌合部５１２ａの外径より小さく形成され、収容部材６００の内孔６０１ａの内径より小さく形成されている。また、保持部５１２ｂの軸方向（図５に示す上下方向）の長さは、開口部６０１の軸方向の長さより大きく形成されている。
【００４５】
芳香体５１１及び連結部材５１２は、芳香体５１１の上端部が連結部材５１２の保持部５１２ｂの内側に挿入された状態で、互いに固定されている。なお、芳香体５１１及び連結部材５１２は、接着等により、互いに固定されている。
保持部材５２０は、天面を有し底面が開放された円筒状に形成されている。そして、保持部材５２０の内周面には、収容部材６００の後述する雄ネジ部ｅ５に螺合される雌ネジ部ｉ５と、雌ネジ部ｉ５の上側（天面側）に設けられた嵌合凹部ｄと、が設けられている。
保持部材５２０の天面には、チェーン、革紐、ワイヤー等の吊下げ具（図示せず）を取り付けることが可能な取付け部５２３が設けられている。また、保持部材５２０の外面には、メッキ、彫刻、ラインストーンの配設等、各種の装飾が施されている。
【００４６】
収容部材６００は、芳香体５１１が挿入される開口部（開口）６０１と、開口部６０１から挿入された芳香体５１１を収容する収容部６０２と、収容部６０２と外部とを連通する孔部６０３と、を有している。本実施形態では、収容部材６００は、金属により形成されている。
開口部６０１は、円筒状に形成され、その内孔６０１ａは、収容部６０２に連通している。開口部６０１の外周面には、保持部材５２０の雌ネジ部ｉ５に螺合する雄ネジ部ｅ５が設けられている。
孔部６０３は、収容部材６００の外周面において複数設けられている。収容部材６００の外面には、メッキ、彫刻、ラインストーンの配設等、各種の装飾が施されている。
【００４７】
（芳香具３の使用方法）
次に、芳香具３の使用方法について説明する。
芳香部３を使用する際には、まず、芳香カートリッジ５１０を保持部材５２０に取り付ける。これには、連結部材５１２の弾性嵌合部５１２ａを保持部材５２０の嵌合凹部ｄに嵌合させて、連結部材５１２と保持部材５２０とを連結する。この際、連結部材５１２の弾性嵌合部５１２ａが弾性変形することによって、弾性嵌合部５１２ａを、保持部材５２０雌ネジ部ｉ５の下端から嵌合凹部ｄまで押し込むことができる。
次に、保持部材５２０に取り付けられた芳香カートリッジ５１０の芳香体５１１に、芳香性化粧料を含浸させる（塗布する）。具体的には、芳香体５１１に対して香水等の芳香性化粧料を吹き付ける。
さらに、芳香カートリッジ５１０が取り付けられた保持部材５２０を、収容部材６００に取り付ける。これには、芳香体５１１を、開口部６０１から収容部材６００の収容部６０２内に挿入する。この際、芳香体５１１の下端部から連結部材５１２の保持部５１２ｂの上端部までが、開口部６０１の内孔６０１ａに挿入される。そして、収容部材６００の雄ネジ部ｅ５を、保持部材５２０の雌ネジ部ｉ５に螺合させて、保持部材５２０と収容部材６００とを連結する。
以上により、保持部材５２０を介して、芳香体５１１が収容部材６００に対して着脱自在に取り付けられる。
【００４８】
そして、芳香具３は、取付け部５２３に取り付けられた吊下げ具を介して、鞄等に取り付けられる。芳香具３では、収容部材６００内に収容された芳香体５１１に含浸された芳香性化粧料が揮発して、揮発した芳香性化粧料が収容部材６００に設けられた孔部６０３を介して、収容部材６００の外部に放出される。これにより、芳香体５１１に含浸された芳香性化粧料の芳香を楽しむことができる。
【００４９】
一方、芳香具３において、芳香を放つ芳香性化粧料を変更する際には、芳香カートリッジ５１０の交換を行う。これには、まず、収容部材６００の雄ネジ部ｅ５を、保持部材５２０の雌ネジ部ｉ５から螺脱させて、保持部材５２０と収容部材６００との連結を解除する。そして、連結部材５１２の保持部５１２ｂ及び芳香体５１１の下端部を、収容部材６００の内孔６０１ａから抜き出す。
次に、連結部材５１２の弾性嵌合部５１２ａを、保持部材５２０の嵌合凹部ｄから離脱させて、連結部材５１２と保持部材５２０との連結を解除する。この際、連結部材５１２の弾性嵌合部５１２ａが弾性変形することによって、弾性嵌合部５１２ａを保持部材５２０の嵌合凹部ｄから引き抜くことができる。
そして、他の芳香カートリッジ５１０を保持部材５２０に取り付けて、新たに取り付けた芳香カートリッジ５１０の芳香体５１１に他の芳香性化粧料を含浸させた後に、芳香部材５００を収容部材６００に取り付ける。これにより、芳香カートリッジ５１０の交換が完了する。
【００５０】
以上のように、芳香具３では、棒状に形成された芳香体５１１の端部に固定された連結部材５１２を有しており、保持部材５２０が連結部材５１２に対して着脱自在となっている。すなわち、芳香体５１１が、連結部材５１２を介して、保持部材５２０に取り付けられている。これにより、保持部材５２０に対する芳香体５１１の着脱を容易に行うことができるとともに、芳香体５１１を保持部材５２０に対してより確実に固定することができる。したがって、予め、芳香体５１１と連結部材５１２とを一体に固定したものを複数用意しておくことで、芳香体５１１の交換を容易に行うことが可能となる。
よって、芳香具３によれば、芳香体５１１の交換を容易に行うことが可能となるとともに、芳香体５１１を保持部５２０に対してより確実に固定することが可能となる。
【符号の説明】
【００５１】
１        芳香具
１００    芳香部材
１１０    芳香カートリッジ
１１１    芳香体
１１２    連結部材
１２０    保持部材
１２１    保持部本体
１２２    ナット
１２３    取付け部
２００    収容部材
２０１    開口部
２０２    収容部
２０３    孔部
２１０    収容部本体
２２０    ナット
ｉ１      第一雌ネジ部
ｉ２      第二雌ネジ部
ｅ１      第一雄ネジ部
ｅ２      第二雄ネジ部
ｇ        隙間部
２        芳香具
３００    芳香部材
３１０    芳香カートリッジ
３１１    芳香体
３１１ａ  本体部
３１１ｂ  フランジ部
３１２    連結部材
３１２ａ  第一筒状部
３１２ｂ  第二筒状部
３２０    保持部材
３２１    貫通孔
３２３    取付け部
４００    収容部材
４０１    開口部
４０２    収容部
４０３    孔部
ｃ１      着色部
ｃ２      着色部
ｉ３      第一雌ネジ部
ｉ４      第二雌ネジ部
ｅ３      第一雄ネジ部
ｅ４      第二雄ネジ部
３        芳香具
５００    芳香部材
５１０    芳香カートリッジ
５１１    芳香体
５１２    連結部材
５１２ａ  弾性嵌合部
５１２ｂ  保持部
５２０    保持部材
５２３    取付け部
６００    収容部材
６０１    開口部
６０１ａ  内孔
６０２    収容部
６０３    孔部
ｃ３      着色部
ｉ５      雌ネジ部
ｅ５      雄ネジ部
ｄ        嵌合凹部
【図１】
2014057671.tif 000003
【図２】
2014057671.tif 000004
【図３】
2014057671.tif 000005
【図４】
2014057671.tif 000006
【図５】
2014057671.tif 000007